(57)【要約】【課題】連珠を構成する各珠が一連につながり、連珠の連相の見映えを良くし、商品価値を高め、しかも、連珠をくしゃくしゃにしても、すぐに元の形状に復帰する装飾具用線状体を提供する。【解決手段】芯糸４に弾力性を有する金属コイルからなるコイルであって、各種形状を有する珠８に設けられている貫通孔９にスライド自在に挿通する径を有する外皮１１Ａを、隙間（遊び）を有しながら被覆するように構成する。【選択図】　　　図２
2004089550.tif 000002
【特許請求の範囲】
【請求項１】
芯糸を挿通させた金属コイルを外皮とするロープであって、
芯糸は、最適な引っ張り強度を保持し、
金属コイルは、最適な太さを保持するように構成することを特徴とする装身具用複合線状体。
【請求項２】
請求項１に記載の装身具用複合線状体において、
各種形状を有する珠に設けられている貫通孔にスライド自在に挿通する径を有する外皮を芯糸に、
隙間（遊び）を有しながら被覆するように構成することを特徴とする装身具用複合線状体。
【請求項３】
請求項１項、２項のいずれか１つの項に記載の装身具用複合線状体において、芯糸が、直線・曲線・螺線・６角形・８角形・星形・花形などの形状を記憶した超弾性効果をもった変態温度範囲が約−２０℃〜７０℃の単線又は撚線状態で、直径０．１ｍｍ以上０．８ｍｍ以下のものであることを特徴とする装身具用複合線状体。
【請求項４】
請求項１項、２項、３項のいずれか１項に記載の装身具用複合線状態において、
芯糸に請求項１項、２項、３項のいずれか１つの項に記載の外皮を隙間（遊び）を有しながら被覆することを特徴とする装身具用複合線状体。
【請求項５】
金属製の短い多数のパイプであって、各種形状を有する珠に設けられている貫通孔にスライド自在に挿通する径を有するパイプを隙間（遊び）を有するように被覆するように構成することを特徴とする装身具用複合線状体。
【請求項６】
請求項１項，２項，３項，４項，５項のいずれか１つの項に記載の装身具用複合線状体において、
外皮を、外皮と内皮を芯線に隙間（遊び）を有しながら多重に被覆するように構成することを特徴とする装飾具用複合線状体。
【請求項７】
請求項１項，２項のいずれか１つの項に記載の装身具用複合線状体において、各種形状を有する珠に設けられている貫通孔にスライド自在に挿通する径を有するパイプを隙間（遊び）を有するように被覆するように構成することを特徴とする装飾具用複合線状体。
【請求項８】
請求項１項，２項のいずれか１つの項に記載の芯糸に、
請求項１項，２項のいずれか１つの項に記載の外皮であって、短い多数の外皮を隙間（遊び）を有しながら被覆し、
これらの外皮と外皮の間には、上記芯糸にカンを挿通するように構成することを特徴とする装飾具用複合線状体。
【請求項９】
請求項１項，２項，３項，４項，５項，６項，７項，８項のいずれか１つの項に記載の芯糸の一方の端部には、上記連結パイプの下辺から先方に向けて延設したベースを設け、
上記ベースの先端には、後記受け金に設けられているプラグを挿入する通孔を有する端壁を設け、この端壁の両側から上記ベースの中間部分にかけて、軸孔ヲ有する軸受板を平行に設けてなる掛け金を固定し、
請求項１項，２項，３項，４項，５項，６項，７項，８項のいずれか１つの項に記載されている芯糸の他方の端部には、同端部を挿入固着した連結パイプの先端において、上記掛け金に設けられている端壁の通孔に挿入するプラグを設け、このプラグの基端には、上記掛け金の端部に設けられている端壁に突き当たるように段差を付した受け金止め部を設け、
上記連結パイプにおいて、上記プラグとの間に空洞部を形成する仕切壁を設け、
この仕切壁には、上記外皮に隙間（遊び）を有しながら挿通されている芯糸を通した通孔を設け、
この通行から上記空洞部へ挿入した上記芯糸の先端部分を、上記空洞部に設けられている巻き掛け片巻き掛けてなる掛け金を固着し、
同端部を挿入固着した連結パイプの先端において、外皮に隙間（遊び）を有しながら挿通されている芯糸の先端を挿通した通孔を有する端壁を設け、
上記端壁の端面から引き出された芯糸の端部につぶしカンなどの芯糸止め具固着することを特徴とする装身具複合線状体。
【発明の詳細な説明】
【０００１】
【発明が属する技術分野】
本発明は、装飾具用線状体、特に、ネックレス、ブレスレットなどの連珠装身具を宝石ケースや、ハンドバッグに出し入れしても、不要なクセがつかずに形くづれせず、いつでも本来の形状のネックレスなどに復元して使用できる装飾具用線状体に関するものである。
【０００２】
【従来の技術】
人には、人相があるように、多数の真珠、トルコ石、ヒスイ、さんご、数珠、あるいは、ガラス玉、シリコン、セラミックなどの半貴石をそれらに設けられている貫通孔に芯糸を挿通してなるネックレス、ブレスレット、携帯ストラップなどの連珠装身具には、連相というものがある。
【０００３】
従来の連珠装身具には、図１に示すように多数の珠１に設けられている貫通孔２に芯糸３を隙間（遊び）を有しながら被覆するようにして構成されたものが多用されている。
このような従来の連珠装身具では、図１に示すように各珠１の貫通孔２の内径と芯糸４との間に遊びが生ずるために、連珠を構成している珠１が一連につながらず、上記の遊びに応じて、各珠１が乱雑につながれるようになる。
そのため、連珠装飾品の見映えを悪くし、商品価値が乏しいという問題点だあり、また、皮やナイロン系のビニールんどからなる芯糸を使用する場合には、その芯糸を使ってつくられた線状体によりつくられているネックレス、ブレスレットなどを宝石ケースや、ハンドバッグなどに出し入れする場合などにおいて、それらをくしゃくしゃに曲げると、クセがついて形くづれが生じ、本来の形状に復帰しないという問題点があった。
本発明は、上記従来の連珠装身具における問題点を解消しうる装飾具用線状体を提供することを目的とするものである。
【０００５】
従来連珠を構成する各珠に設けられている貫通孔に芯糸を挿通する構成を有する装身具用線状体に関する技術として、実用新案出願公開昭和６４年第７８１５号に掲載されている考案・特許公開平１１−１０３９１４号公開特許公報に掲載されている発明・特許公開２０００−８０５４６号公開特許公報に掲載されている発明・特許公開２０００−１０６９２３号公開特許公報に掲載されている発明・特許公開２００１−２７５７２４号公開特許公報に掲載されている発明・特許公開２００１−２８６３１３号公開特許公報に掲載されている発明がある。
これらの技術では、線状体に１本の線状体を使用することが開示されているだけであり、本発明に係る線状体のように、芯糸に外皮が隙間（遊び）を有するように被覆してなる複合線状体についての技術は、まだ見当たらない。
【０００６】
【発明が解決しようとする課題】
（１）　芯糸に挿通させた金属コイルを外皮とするロープであって、
芯糸は、最適な引っ張り強度を保持し、
金属コイルは、最適な太さを保持するように構成することを特徴とする装身具用複合線状体。
（２）　（１）項に記載の装身具用複合線状体において、
各種形状を有する珠に設けられている貫通孔にスライド自在に挿通する径を有する外皮を芯糸に、
隙間（遊び）を有しながら被覆するように構成することを特徴とする装身具用複合線状体。
（３）　（１）項、（２）項のいずれか１つの項に記載の装身具用複合線状体において、芯糸が、直線・曲線・螺線・６角形・８角形・星形・花形などの形状を記憶した超弾性効果をもった変態温度範囲が約−２０℃〜７０℃の単線又は撚線状態で、直径０．１ｍｍ以上０．８ｍｍ以下のものであることを特徴とする装身具用複合線状体。
（４）　（１）項，（２）項，（３）項のいずれか１項に記載の装身具用複合線状態において、
芯糸に（１）項、（２）項、（３）項のいずれか１つの項に記載の外皮を隙間（遊び）を有しながら被覆することを特徴とする装身具用複合線状体。
（５）　金属製の短い多数のパイプであって、各種形状を有する珠に設けられている貫通孔にスライド自在に挿通する径を有するパイプを隙間（遊び）を有するように被覆するように構成することを特徴とする装身具用複合線状体。
（６）　（１）項，（２）項，（３）項，（４）項，（５）項のいずれか１つの項に記載の装身具用複合線状体において、
外皮を、外皮と内皮を芯線に隙間（遊び）を有しながら多重に被覆するように構成することを特徴とする装飾具用複合線状体。
（７）　（１）項，（２）項のいずれか１つの項に記載の装身具用複合線状体において、
各種形状を有する珠に設けられている貫通孔にスライド自在に挿通する径を有するパイプを隙間（遊び）を有するように被覆するように構成することを特徴とする装飾具用複合線状体。
（８）　（１）項，（２）項のいずれか１つの項に記載の芯糸に、
（１）項，（２）項のいずれか１つの項に記載の外皮であって、短い多数の外皮を隙間（遊び）を有しながら被覆し、
これらの外皮と外皮の間には、上記芯糸にカンを挿通するように構成することを特徴とする装飾具用複合線状体。
（９）　（１）項，（２）項，（３）項，（４）項，（５）項，（６）項，（７）項，（８）項のいずれか１つの項に記載の芯糸の一方の端部には、上記連結パイプの下辺から先方に向けて延設したベースを設け、
上記ベースの先端には、後記受け金に設けられているプラグを挿入する通孔を有する端壁を設け、この端壁の両側から上記ベースの中間部分にかけて、軸孔ヲ有する軸受板を平行に設けてなる掛け金を固定し、
（１）項，（２）項，（３）項，（４）項，（５）項，（６）項，（７）項，（８）項のいずれか１つの項に記載されている芯糸の他方の端部には、同端部を挿入固着した連結パイプの先端において、上記掛け金に設けられている端壁の通孔に挿入するプラグを設け、このプラグの基端には、上記掛け金の端部に設けられている端壁に突き当たるように段差を付した受け金止め部を設け、
上記連結パイプにおいて、上記プラグとの間に空洞部を形成する仕切壁を設け、
この仕切壁には、上記外皮に隙間（遊び）を有しながら挿通されている芯糸を通した通孔を設け、
この通行から上記空洞部へ挿入した上記芯糸の先端部分を、上記空洞部に設けられている巻き掛け片巻き掛けてなる掛け金を固着し、
同端部を挿入固着した連結パイプの先端において、外皮に隙間（遊び）を有しながら挿通されている芯糸の先端を挿通した通孔を有する端壁を設け、
上記端壁の端面から引き出された芯糸の端部につぶしカンなどの芯糸止め具固着することを特徴とする装身具複合線状体。
【０００７】
【発明の実施の形態】
本発明の実施の形態を図２ないし図２４にもとづいて説明する。
図１は従来の装身具用線状体によりつくられたネックレスの芯糸の一部を省略するとともに、上記芯糸によりつながれた一部の珠を断面にした状態を示す図、図２は本発明に係る装身具用線状体によりつくられたネックレスの芯糸の一部を省略するとともに、上記芯糸によりつながれた一部の珠を断面にした状態を示す図、図３は本発明に係る装身具用線状体を太径ペンダント用ネックレスロープとして構成し、その一部を省略した状態の一部断面図、図４は図３の太径ペンダント用ネックレスロープが本来の形状に保持されている状態を示す図、図５は本発明に係る装身具用線状体における外皮として波型の金属コイルを使用し、その一部を省略した状態の側面図、図６は本発明に係る装身具用線状体における外皮として丸型の金属コイルを使用し、その一部を省略した斜視図、図７は本発明に係る装身具用複合線状体における外皮として角型の金属コイルを使用し、その一部を省略した斜視図、図８は本発明に係る装身具用複合線状体として使用する線状体の芯糸に短い多数のパイプを隙間（遊び）を有するように被覆し、この線状体の一部に珠が挿通されてつながる状態を示す図、図９は本発明に係る装身具用複合線状体として使用する線状体を芯糸に短い多数のパイプを隙間（遊び）を有しながら被覆し、パイプとパイプの間毎の芯糸につぶしカンが固着された状態を示す図、図１０は本発明に係る装身具用複合線状体に使用される芯糸に固着されるつぶしカンの側面図、図１１は図１０に示したつぶしカンの断面図、図１２は本発明に係る装身具用複合線状体を使ってつくられたネックレスの両端にクラスプの両側に設けられている連結リングにつぶしカンで連結した状態の一部を省略した状態を示す図、図１３は本発明に係る装身具用複合線状体に使用される芯糸につぶしカンを固着する一実施の形態を示す図、図１４は図１２に示したつぶしカンを芯糸に固着する別の実施の形態を示す図、図１５は図１２に示したつぶしカンを芯糸に固着するさらに別の実施の形態を示す図、図１６は図１２に示したつぶしカンを芯糸に固着するさらに別の実施の形態を示す図、図１７は図１３に示した実施例の一部を省略した状態を示す図、図１８はつぶしカンを挟んでつぶす専用のヤットコの正面図、図１９は本発明に係る装飾具用複合線状体に使用される芯糸の端部を止め金具に連結する一実施の形態を示す図、図２０は図１９に示した芯糸の端部を止め金具に連結するさらに別の実施の形態を示す図、図２１は図１９に示した芯糸の端部を止め金具に連結するさらに別の実施の形態を示す図、図２２は本発明に係る装身具用複合線状体に使用する芯糸の端部をマグネットクラスプに連結する別の実施の形態を説明する図、図２３は本発明に係る装身具用複合線状体に使用する芯糸の端部をマグネットクラスプに連結する別の実施の形態を示す図、図２４は図２２に示した芯糸のマグネットクラスプに連結するさらに別の実施の形態を示す図、図２５は図２２に示した芯糸をマグネットクラスプに連結するさらに別の実施の形態を示す図、、図２６は外皮を、芯線に外皮と内皮を隙間（遊び）を有しながら多重に被覆する一実施の形態の一部を省略した状体を示す図、図２７は図２６に示した状態の一部を断面にして表した図、図２８は本発明に係る装身具用複合線状体に使用されている芯糸の一方の端部に固着した掛け金を芯糸の他方の端部に固着した受け金に掛け止めた状体を示す図、図２９は図２８に示した受け金のプッシュ金具の下側から見上げた状態の斜視図、図３０は図２８に示したプッシュ金具に懸架するばねの斜視図、図３１は図２８に示したプッシュ金具に設けられている受筒に弾装するコイルスプリングの斜視図、図３２は図２８に示したプッシュ金具が組み立てられる状態を説明する図、図３３は図２８に示した掛け金の斜視図、図３４は図３３の右側面図、図３５は図３２に示した掛け金に設けられている通孔に芯糸を挿通し、巻き掛け部に芯糸を巻き掛ける直前の状態を示す断面図、図３６は図３５に示した掛け金に芯糸を挿通し、その挿通部を巻き掛け片に巻き掛ける状態を示す図、図３７は図３５に示した掛け金に設けらている巻き掛け片に芯糸を巻き掛けた後、同掛け金に設けられている通孔に芯糸を巻き戻し、次いで、同掛け金の空洞部に差し込まれているクッション材に装通した状態を示す図、図３８は図２８に示した芯糸の一方の端部が固着され、受け金を分解した状態を示す図、図３９は図２８に示した状態のにおいて、プッシュ金具が省略されている状態を示す斜視図、図４０は線状体の一方の端部に掛け金が固着されている状態を示す断面図、図４１は図４０に示した状態の斜視図、図４２はネックレスロープがそれの両端に固着されている止め金具により止められた状態を示す図、図４３は本発明に係る装身具用複合線状体の一方の端部に掛け金が固着され、他方の端部に受け金が固着された状態を示す図である。
【０００８】
図２において４は芯糸で、これは、０．３ｍｍ前後の絹糸、ナイロン糸、テグス、ステンレスワイヤーを使用する。５は芯糸４に被覆する外皮で、芯糸４に隙間（遊び）を有するように被覆するものであり、これには、直径（０．６５ｍｍ前後）のステンレス、ニッケルチタン合金、ニッケルチタンコバルト合金、Ｋ１８又はＫ１４、超弾性型直線記憶合金ワイヤーを使用する。７は芯糸４に外皮を被覆してなる装身具用複合線状体、８は装身具用複合線状体７にスライド自在に挿通した珠で、これらは、真珠の場合、０．７ｍｍ前後の貫通孔９を設け、半貴石の場合、１．０ｍｍ前後の貫通孔９を設けるというように珠の材質に応じて適宜の径を有する貫通孔を設ける。なお、芯糸４には、直線・曲線・螺線・６角形・８角形・星形・花形などの形状を記憶した超弾性効果をもった変態温度範囲が約−２０℃〜７０℃の単線又は撚線状態で、直径０．１ｍｍ以上０．８ｍｍ以下の芯糸を使用することもある。この芯糸では、その変態温度が約−２０℃よりも低くなると、形状についての記憶がはずれ、同温度が７０℃以上に加熱すると、ひずみが消えて元の状態に戻る。また、芯糸の直径が０．１ｍｍより細いと、芯糸としての強度が出なくなり、０．８ｍｍを超えると、線状態のしなやかさが失われることになる。
【０００９】
図３において１０は芯糸で、これには、芯糸４と同様の芯糸を使用する。１１Ａは芯糸１０に被覆する金属コイルからなる太径（３．０ｍｍ）の外皮で、芯糸１０との間に芯糸４と外皮５の内径との間の隙間（遊び）よりもかなり大きな隙間（遊び）を有するように芯糸１０を被覆している。
以上の構成よりなる装身具用複合線状体１２は、図４に示すように装身具用複合線状体１２の両端において、芯糸１０の両端に互いに吸着するマグネットを組み込んでなる止め金具１４、１５を固定して、太径ペンダント用ネックレスロープ１３を構成する。１６はネックレスロープ１３が止め金具１４、１５により環状につながれた状態において、ネックレスロープ１３に吊り掛けたペンダントトップである。
【００１０】
図５において、１７は弾性を有する金属コイルからなる波形の外皮である。
【００１１】
図６において、１８は弾性を有する金属コイルからなる丸形の外皮である。
【００１２】
図７において、１９は弾性を有する金属コイルからなる角形の外皮である。
【００１３】
図８において、２０Ａは芯糸、２０Ｂは芯糸２０Ａを隙間（遊び）を有するように被覆した短い多数のパイプからなる外皮であり、珠２２に設けられている貫通孔２３にスライド自在に挿通してある。
【００１１】
図９において、２４は芯糸、２５は短い多数のパイプからなる外皮であって、芯糸２４に隙間（遊び）を有するように被覆してある。２７はパイプ２５とパイプ２５の間において芯糸２４に固着したつぶしカンである。
【００１２】
図１０において、２８は珠、３０は珠２８に設けられた貫通孔である。
【００１３】
図１１において、２８は珠、３０は珠２８に設けられた貫通孔である。
【００１４】
図１２において、２１は弾性を有する金属コイルからなる外皮、２７は外皮２１をクラスプ３２の両側に設けられている連結リング３３に巻き戻した部分に弾性を有する金属コイルからなる外皮２１に固着したつぶしカン、３１は外皮２１をスライド自在に挿通した珠である。
【００１５】
図１３において、２９は線状体でクラスプ３２の両側に設けられている連結リング３３に巻き戻してある。２７は線状体２９の巻き戻し部に固着したつぶしカンである。
【００１６】
線状体２９をつぶしカン２７に挿通する場合、使用目的に応じて通し方を変えるが、例えば、図１４ないし図１７に示すように、線状体２９の１本通しでかみつぶし、つぶしカン２７を図１８に示すような専用のヤットコ２６で挟んでかみつぶす（図１４参照）ようにしたり、線状体２９をつぶしカン２７に巻き付け（図１５参照）てから、ヤットコ２６で挟んでかみつぶすようにしたり、線状体２９を楕円カン３５などに通した後、戻して（図１６参照）、ヤットコ２６でかみつぶすようにしたり、線状体２９を珠２２に横向きに設けられている貫通孔２３Ａに挿通し、その挿通部をクラスプなどの連結リングに巻き戻した後、貫通孔２３Ａに挿通しその挿通部を縦向きに設けられている貫通孔２３Ｂに挿通した後、その挿通部を貫通孔２３Ａに挿通し、その挿通部を連結リング３３に巻き戻した後、貫通孔２３Ａに挿通する。なお、図１５に示した線状体２９の通し方は強度が出る。また、図１６に示した線状体の通し方は、ネックレス、ブレスレットに多く使用される。
【００１７】
図１９ないし図２５にもとづいて本発明に係る装身具用複合線状体の端部をクラスプなどの止め金具に連結する実施の形態について説明すると、図１９に示すように止め金具３６に設けられている連結リング３７に線状体３８を巻き戻した後、その巻き戻し部分に挿通されているつぶしカン３９をヤットコで挟んでかみつぶすようにしたり、図２０に示すように止め金具３６に設けられている連結リング３７に線状体３８を巻き戻した後、その巻き戻し部分に挿通されているつぶしカン４０に設けられているねじ孔にピン４１を小型ドライバーで押し込めるようにしたり、図２１に示すように止め金具３６に設けられている連結リング３７に線状体３８を巻き戻した後、その巻き戻し部分に挿通されているつぶしカン４２に設けられている孔にピン４３をヤットコで挟んで押し込むようにする。図２２に示すように、マグネットクラスプ４５に設けられている通孔４６に線状体４７を挿通し、その挿通部に結び目４８をつくるようにしたり、図２３に示すように、マグネットクラスプ４５に設けられている通孔４６に線状体４７を挿通し、その挿通部につぶしカン５０をヤットコで挟んで固着したり、図２４に示すように、マグネットクラスプ４５に設けられている通孔４６に線状体４７を挿通し、その挿通部をつぶしカン５０に巻き通した後、つぶしカン５０をヤットコで挟んで固着したり、図２５に示すようにマグネットクラスプ４５に設けられている通孔４６に線状体４７を挿通し、その挿通部分をつぶしカン５１、通孔４６及びつぶしカン５２の順に挿通し、つぶしカン５１と５２をヤットコで挟んでかみつぶすようにしたりする。つぶしカン５２の代わりにカン５３を使用し、、カン５３に設けられている孔にピン５４を差し込み、ヤットコで押し込むようにすることもある。図１９に示した実施の形態では、何度でもつかえるので、経済的である。また、図２０に示した実施の形態では、手軽につかえてスマートである。
【００１８】
図２６において、４７は線状体で、１１Ｂは線状体４７に隙間（遊び）を有するように被覆する太径の弾性を有する金属コイルからなる内皮で、線状体４７との間にかなり大きな隙間（遊び）を有するように線状体４７を被覆している。１１Ｆは内皮１１Ｂの外径との間に隙間を有するように内皮１１Ｂを被覆する弾性を有する金属コイルからなる外皮である。図２７において４７は線状体で、１１Ｄは金属、プラスチックなどで成形された短い多数のパイプからなる内皮である。１１Ｆは弾性を有する金属コイルからなる外皮で、内皮１１Ｄの外径との間に隙間を有するように内皮１１Ｄを被覆している。１１Ｃは外皮１１Ｄの両端から引き出された線状体４７に内皮１１Ｄの両端縁と接するように挿通したシリコンゴムで、これらは装身具用複合線状体の両端を各止め金具に接続する場合に、止め各金具との間でクッションの役割をするものである。
【００１９】
図２８は専用の止め金具を示し、これは掛け金５７と受け金５８とからなる。図２８、図３３ないし図３７に示すように、線状体５５の一方の端部を差し込んで接着剤で固着する連結パイプ５６の先端に通孔６２を有する端壁６１を設け、端壁６１から先方へ間隔をおいてプラグ６４を設け、上記間隔内には掛け止め片６５、６６を設けてなる。図３５に示すように、連結パイプ５６内、通孔６２及び上記間隔内へ芯糸２４を挿通し、次いで、図３６に示すように芯糸２４の上記挿通部を掛け止め片６５，６６に巻き掛け、図３７に示すように芯糸２４の巻き掛け部を通孔６２，パッキン６８及び連結パイプ５６内から外部へ引き出してある。
【００２０】
図２８ないし図３１、図３８、図４０及び図４１、図４３において、受け金５８は線状体５５の他方の端部を差し込んで接着剤で固着する連結パイプ７７の先端に通孔を有する端壁７９を設け、端壁７９の下辺から端壁７９から見て先方へ向けてベース７６を延設し、ベース７６の先端には掛け金５７に設けられているプラグ６４を差し込む差し込み口６４Ａを設けてなる。図３８及び図３９に示すように、線状体５５内に挿通されている芯糸７２の先端をパッキン６８、つぶし小９５の順に挿通し、つぶし小９５をヤットコでかみつぶすようにして芯糸７２に固着する。図３２，図３８において、８０はプッシュ金具で、ベース７６の後方部分の上方から両側にかけてカバーするように設けられたカバー部材８２Ａ，８３Ａを設け、ベース７６の中間部分の上方から両側をカバーするように設けられたカバー部材８２Ｂ，８３Ｂを設け、カバー部材８２Ｂ，８３Ｂには、ばね８７を懸架するための孔９０，９１を設けてなり、プッシュ金具８０の内側中間部分には、コイルバネ８４をヲ弾装するための受け筒８１を設けてなる。
【００２１】
図４２において、９６は弾力性を有する金属コイルからなる外皮９４でつくられたネックレス用ロープである。９８，９９はロープ９６の両端に固着した止め金具であり、１００は珠で、それに設けられている貫通孔１０１にロープ９６を挿通してある。珠１００はロープの長さに応じて適当する数の珠を挿通することもある。
上記各実施の形態において使用されるカンには、ガラス玉、その他の芯糸に固着するのに適した止め具を使用する。
【００２２】
【実施例】
本発明に係る装身具用複合線状体に使用される芯糸には、直径０．８ｍｍ前後の絹糸・ナイロン糸その他の化学繊維の糸・テグス・ステンレスワイヤー・皮紐・超弾性形状記憶ワイヤー・ゴム紐・などの伸縮性が極めて小さいか又は一定範囲で伸びるけれども、外皮の金属コイルの伸縮復帰範囲を超えない材質が使用された芯糸を使用する。また、芯糸の性能としては、連通糸として使用に耐える引っ張り強度をもつ糸、金属を取り付けやすい糸、そのためには、容易に巻き付ける、縛る、締め付けるなどで止め金具を取り付けることのできる糸が望ましい。
外皮を構成する金属コイル線には、直径０．３ｍｍ前後のステンレス線であって、虹色（レインボーカラー）、黒色に発色する酸化発色をほどこしてある絹糸・ナイロン糸・テグス・ステンレスワイヤー・超弾性形状記憶合金線・金線・銀線とそれらの合金線を使用する。
金属コイルの性能としては、線材を螺旋状に巻いて安易に太く軽いコイルをつくる。一定の硬さを持ち、変形しにくい線、バネ誠をもち復元力と耐久性があることが望ましい。
【００２３】
【発明の効果】
本発明は、叙上のように構成したから、次のような効果を奏する。
（１）　請求項１に記載の装飾具用線状体は、芯糸が各珠に設けられている貫通孔にスライド自在に挿通されているので、芯糸と珠の貫通孔の内径との間に隙間（遊び）を生じるようなことはなく、多数の珠を一連につなぐことができ、ネックレス、ブレスレットなどの連珠装身具の連相が見映えするようになり、商品の付加価値を高めることがができる。
（２）　請求項２に記載の装飾具用線状体では、外皮が芯糸に被覆されているので、金属コイルからなる外皮が伸びるようなことはなく、ネックレス、ブレスレットなどの連珠装身具などを、それらの使用時における自然な環状体の形状に保持できる。また、芯糸の端部にクラスプなどの止め金具を固定することができるので、止め金具の線状体に対する取り付け作業を容易に行うことができる。また、線状体が、芯糸に弾性を有する金属コイルからなる外皮を被覆しているので、その線状体を使用してつくられたネックレス、ブレスレットなどを宝石ケースや、ハンドバッグに出し入れする場合などにおいて、それらをくしゃくしゃに曲げても、クセがつくようなことはなく形くづれせず、すぐに元の形状に復帰させることができる。
（３）　請求項３に記載の装身具用複合線状態では、縛ったり、結んだり、巻き付けたりして、芯糸を金具に取り付けやすくすることができる。
（４）　請求項４に記載の装飾具用線状体では、線状体についてデザインの展開をはかることができるので、線状体の装飾性に豊富な変化をもたらすことできる。
（５）　請求項５に記載の装飾具用線状体では、芯糸の端部にクラスプなどの止め金具を固定できるので、止め金具の線状体に対する取り付け作業を容易に行うことができる。
（６）　請求項６に記載の装飾具用線状体では、芯糸が初めの形状を記憶しているので、宝石ケースや、ハンドバッグなどに出し入れしても、不要なクセがつくようなこうはなく形くづれせず、いつでも本来の形状のネックレス、ブレスレットなどの連珠装身具を提供することができる。
（７）　請求項７に記載の装飾具用線状体では、芯糸そのものにつぶしカンによる装飾性があり、装飾性に富んだネックレス、ブレスレットなどの連珠装身具を提供することができる。
（８）　請求項８に記載の装飾具用線状体では、掛け金と受け金の線状体に対する取り付け作業を容易に行うことができるうえ、ネックレス、ブレスレットなどの形状を本来の形状に保持できる。
（９）　請求項９に記載の装身具用複合線状体は、ネックレス、ブレスレットなどの連珠装身具を着用したり、取り外したりする際に、その両端を接続するクラスプの掛け外しが容易に行えるので、着用や、取り外しが容易になる。
【図面の簡単な説明】
【図１】従来の装身具用線状体によりつくられたネックレスの芯糸の一部を省略するとともに、上記芯糸によりつながれた一部の珠を断面にした状態を示す図である。
【図２】本発明に係る装身具用線状体によりつくられたネックレスの芯糸の一部を省略するとともに、上記芯糸によりつながれた一部の珠を断面にした状態を示す図である。
【図３】本発明に係る装身具用線状体を太径ペンダント用ネックレスロープとして構成し、その一部を省略した状態の一部断面図である。
【図４】図３の太径ペンダント用ネックレスロープが本来の形状に保持されている状態を示す図である。
【図５】本発明に係る装身具用線状体における外皮として波型の金属コイルを使用し、その一部を省略した状態の側面図である。
【図６】本発明に係る装身具用線状体における外皮として丸型の金属コイルを使用し、その一部を省略した斜視図である。
【図７】本発明に係る装身具用複合線状体における外皮として角型の金属コイルを使用し、その一部を省略した斜視図である。
【図８】本発明に係る装身具用複合線状体として使用する線状体の芯糸に短い多数のパイプを隙間（遊び）を有するように被覆し、この線状体の一部に珠が挿通されてつながる状態を示す図である。
【図９】本発明に係る装身具用複合線状体として使用する線状体を芯糸に短い多数のパイプを隙間（遊び）を有しながら被覆し、パイプとパイプの間毎の芯糸につぶしカンが固着された状態を示す図である。
【図１０】本発明に係る装身具用複合線状体に使用される芯糸に固着されるつぶしカンの側面図である。
【図１１】図１０に示したつぶしカンの断面図である。
【図１２】図１２は本発明に係る装身具用複合線状体を使ってつくられたネックレスの両端にクラスプの両側に設けられている連結リングにつぶしカンで連結した状態の一部を省略した状態を示す図である。
【図１３】本発明に係る装身具用複合線状体に使用される芯糸につぶしカンを固着する一実施の形態を示す図である。
【図１４】図１２に示したつぶしカンを芯糸に固着する別の実施の形態を示す図である。
【図１５】図１２に示したつぶしカンを芯糸に固着するさらに別の実施の形態を示す図である。
【図１６】図１２に示したつぶしカンを芯糸に固着するさらに別の実施の形態を示す図である。
【図１７】図１３に示した実施例の一部を省略した状態を示す図である。
【図１８】つぶしカンを挟んでつぶす専用のヤットコの正面図である。
【図１９】本発明に係る装飾具用複合線状体に使用される芯糸の端部を止め金具に連結する一実施の形態を示す図である。
【図２０】図１９に示した芯糸の端部を止め金具に連結するさらに別の実施の形態を示す図である。
【図２１】図１９に示した芯糸の端部を止め金具に連結するさらに別の実施の形態を示す図である。
【図２２】本発明に係る装身具用複合線状体に使用する芯糸の端部をマグネットクラスプに連結する別の実施の形態を説明する図である。
【図２３】本発明に係る装身具用複合線状体に使用する芯糸の端部をマグネットクラスプに連結する別の実施の形態を示す図である。
【図２４】図２２に示した芯糸のマグネットクラスプに連結するさらに別の実施の形態を示す図である。
【図２５】図２２に示した芯糸をマグネットクラスプに連結するさらに別の実施の形態を示す図である。
【図２６】外皮を、芯線に外皮と内皮を隙間（遊び）を有しながら多重に被覆する一実施の形態の一部を省略した状体を示す図である。
【図２７】図２６に示した状態の一部を断面にして表した図である。
【図２８】本発明に係る装身具用複合線状体に使用されている芯糸の一方の端部に固着した掛け金を芯糸の他方の端部に固着した受け金に掛け止めた状体を示す図である。
【図２９】図２８に示した受け金のプッシュ金具の下側から見上げた状態の斜視図である。
【図３０】図２８に示したプッシュ金具に懸架するばねの斜視図である。
【図３１】図２８に示したプッシュ金具に設けられている受筒に弾装するコイルスプリングの斜視図である。
【図３２】図２８に示したプッシュ金具が組み立てられる状態を説明する図である。
【図３３】図２８に示した掛け金の斜視図である。
【図３４】図３３の右側面図である。
【図３５】図３２に示した掛け金に設けられている通孔に芯糸を挿通し、巻き掛け部に芯糸を巻き掛ける直前の状態を示す断面図である。
【図３６】図３５に示した掛け金に芯糸を挿通し、その挿通部を巻き掛け片に巻き掛ける状態を示す図である。
【図３７】図３５に示した掛け金に設けらている巻き掛け片に芯糸を巻き掛けた後、同掛け金に設けられている通孔に芯糸を巻き戻し、次いで、同掛け金の空洞部に差し込まれているクッション材に装通した状態を示す図である。
【図３８】図２８に示した芯糸の一方の端部が固着され、受け金を分解した状態を示す図である。
【図３９】図２８に示した状態のにおいて、プッシュ金具が省略されている状態を示す斜視図である。
【図４０】線状体の一方の端部に掛け金が固着されている状態を示す断面図である。
【図４１】図４０に示した状態の斜視図である。
【図４２】ネックレスロープがそれの両端に固着されている止め金具により止められた状態を示す図である。
【図４３】本発明に係る装身具用複合線状体の一方の端部に掛け金が固着され、他方の端部に受け金が固着された状態を示す図である。
【符号の説明】
４　　芯糸
５　　外皮
７　　装身具用複合線状体
８　　珠
９　　貫通孔
１０　　芯糸
１１Ａ　　外皮
１１Ｂ　　弾性を有する金属コイルからなる内皮
１１Ｃ　　シリコンゴム
１１Ｄ　　短い多数のパイプからなる内皮
１１Ｆ　　弾性を有する金属コイルからなる外皮
１２　　装身具用複合線状体
１３　　ネックレスロープ
１４，１５　　止め金具
１６　　ペンダントトップ
１７　　波形の外皮
１８　　丸形の外皮
１９　　角形の外皮
２０Ａ　　芯糸
２０Ｂ　　芯糸
２１　　外皮
２２　　珠
２３　　貫通孔
２４　　芯糸
２５　　短い多数のパイプ
２６　　ヤットコ
２７　　つぶしカン
２８　　珠
２９　　線状体
３０　　貫通孔
３１　　珠
３２　　クラスプ
３３　　連結リング
３５　　楕円カン
３６　　止め金具
３７　　連結リング
３８　　線状体
３９　　つぶしカン
４０　　つぶしカン
４１　　ピン
４２　　つぶしカン
４３　　ピン
４５　　マグネットクラスプ
４６　　通孔
４７　　線状体
４８　　結び目
５０　　つぶしカン
５１　　つぶしカン
５２　　つぶしカン
５５　　線状体
５６　　連結パイプ
５７　　掛け金
５８　　受け金
６０　　連結パイプ
６１　　端壁
６２　　通孔
６４　　プラグ
６４Ａ　　差し込み口
６５，６６　　掛け止め片
６８　　パッキン
７２　　芯糸
７６　　ベース
７７　　連結パイプ
７９　　端壁
８０　　プッシュ金具
８１　　受け筒
８２Ａ，８３Ａ　　カバー部材
８２Ｂ，８３Ｂ　　カバー部材
８４　　コイルバネ
９０，９１　　孔
９４　　外皮
９５　　つぶし小
９６　　ネックレスロープ
９８，９９　　止め金具
１００　　珠
１０１　　貫通孔
【図１】
2004089550.tif 000003
【図２】
2004089550.tif 000004
【図３】
2004089550.tif 000005
【図４】
2004089550.tif 000006
【図５】
2004089550.tif 000007
【図６】
2004089550.tif 000008
【図７】
2004089550.tif 000009
【図８】
2004089550.tif 000010
【図９】
2004089550.tif 000011
【図１０】
2004089550.tif 000012
【図１１】
2004089550.tif 000013
【図１２】
2004089550.tif 000014
【図１３】
2004089550.tif 000015
【図１４】
2004089550.tif 000016
【図１５】
2004089550.tif 000017
【図１６】
2004089550.tif 000018
【図１７】
2004089550.tif 000019
【図１８】
2004089550.tif 000020
【図１９】
2004089550.tif 000021
【図２０】
2004089550.tif 000022
【図２１】
2004089550.tif 000023
【図２２】
2004089550.tif 000024
【図２３】
2004089550.tif 000025
【図２４】
2004089550.tif 000026
【図２５】
2004089550.tif 000027
【図２６】
2004089550.tif 000028
【図２７】
2004089550.tif 000029
【図２８】
2004089550.tif 000030
【図２９】
2004089550.tif 000031
【図３０】
2004089550.tif 000032
【図３１】
2004089550.tif 000033
【図３２】
2004089550.tif 000034
【図３３】
2004089550.tif 000035
【図３４】
2004089550.tif 000036
【図３５】
2004089550.tif 000037
【図３６】
2004089550.tif 000038
【図３７】
2004089550.tif 000039
【図３８】
2004089550.tif 000040
【図３９】
2004089550.tif 000041
【図４０】
2004089550.tif 000042
【図４１】
2004089550.tif 000043
【図４２】
2004089550.tif 000044
【図４３】
2004089550.tif 000045